(57)【要約】【課題】  着信時等に発光するＬＥＤの光量のばらつきを補正する携帯端末装置を提供する。【解決手段】  赤、緑、青の３色それぞれの設定値を変化させることにより任意の発光色を得ることができるＬＥＤを備えた携帯端末装置であって、所定の発光色を得るために必要な各色の標準設定値が予め記憶された標準設定値テーブルと、前記ＬＥＤを発光させて所望の白色が得られたときの各色の設定値と前記標準設定値とから補正係数を求め記憶する手段と、所望の発光色の設定値が指定された場合に、該設定値に対して前記補正係数を乗算して各色の設定値を求める手段とを備える。【選択図】    図１
2005129403.tif 000002
【特許請求の範囲】
【請求項１】
赤、緑、青の３色それぞれの設定値を変化させることにより任意の発光色を得ることができるＬＥＤを備えた携帯端末装置であって、
所定の発光色を得るために必要な各色の標準設定値が予め記憶された標準設定値テーブルと、
前記ＬＥＤを発光させて所望の白色が得られたときの各色の設定値と前記標準設定値とから補正係数を求め記憶する手段と、
所望の発光色の設定値が指定された場合に、該設定値に対して前記補正係数を乗算して各色の設定値を求める手段と
を備えたことを特徴とする携帯端末装置。
【請求項２】
赤、緑、青の３色ＬＥＤを備えた携帯端末装置における光量校正方法であって、
所定の発光色を得るために必要な各色の標準設定値を標準設定値テーブルに予め記憶させておく過程と、
前記ＬＥＤを発光させて所望の白色が得られたときの各色の設定値と前記標準設定値とから補正係数を求めて記憶する過程と、
所望の発光色の設定値が指定された場合に、該設定値に対して前記補正係数を乗算して各色の設定値を求める過程と
を有することを特徴とする光量校正方法。
【請求項３】
赤、緑、青の３色ＬＥＤを備えた携帯端末装置上のおいて動作する光量校正プログラムであって、
所定の発光色を得るために必要な各色の標準設定値を標準設定値テーブルに予め記憶させておく処理と、
前記ＬＥＤを発光させて所望の白色が得られたときの各色の設定値と前記標準設定値とから補正係数を求めて記憶する処理と、
所望の発光色の設定値が指定された場合に、該設定値に対して前記補正係数を乗算して各色の設定値を求める処理と
をコンピュータに行わせることを特徴とする光量校正プログラム。
【発明の詳細な説明】
【技術分野】
【０００１】
本発明は、着信時等に発光するＬＥＤの光量のばらつきを補正する携帯端末装置、光量校正方法及び光量校正プログラムに関する。
【背景技術】
【０００２】
近年のカラー液晶表示器の普及により、携帯端末にもカラー液晶表示器が備えられている製品が増えてきている。このカラー液晶表示器は、バックライト照明として、窒化インジウムガリウム系材料を用いた白色ＬＥＤが用いられるのが一般的である（例えば、特許文献１参照）。
【特許文献１】特開２００３−１００４７３号公報
【発明の開示】
【発明が解決しようとする課題】
【０００３】
ところで、携帯端末等に備えられている背面液晶表示器に白色を点灯できれば、点灯文字を鮮やかに表示することができるために用途が広がるが、白色ＬＥＤを用いることはコスト面を考えると課題が残る。そこで、既に備えられており着信ランプ用に使用されている３色ＬＥＤを用いて白色を表示することができればコスト面で有利である。３色のＬＥＤは、赤、青、緑色の発光ダイオードに流れる電流を制御して各光強度、各色を作っているため、各ダイオードに流れる電流を抵抗によって制御すれば白色点灯が可能である。
しかしながら、ダイオードに流れる電流を制御する抵抗は固定値であるため、ＬＥＤ部品のばらつきがあると正確な光強度、色を発光することができず、明るさや色むらが発生し部品交換が必要になるという問題がある。また、個々の部品にあった抵抗を実装することは現実的でないため、ばらつきの少ないＬＥＤを購入するしかなく、部品単価が高価になるという問題もある。さらに、パルス波形制御でも設定値が固定であったため部品ばらつきには対応できない。また、何段階かに設定できるものは固定値よりばらつきは改善することは可能になるが、使用者任せになり手間がかかる上、逆に基準値とかけ離れた色になってしまうという問題もある。
【０００４】
本発明は、このような事情に鑑みてなされたもので、着信時等に発光するＬＥＤの光量のばらつきを補正する携帯端末装置、光量校正方法及び光量校正プログラムを提供することを目的とする。
【課題を解決するための手段】
【０００５】
請求項１に記載の発明は、赤、緑、青の３色それぞれの設定値を変化させることにより任意の発光色を得ることができるＬＥＤを備えた携帯端末装置であって、所定の発光色を得るために必要な各色の標準設定値が予め記憶された標準設定値テーブルと、前記ＬＥＤを発光させて所望の白色が得られたときの各色の設定値と前記標準設定値とから補正係数を求め記憶する手段と、所望の発光色の設定値が指定された場合に、該設定値に対して前記補正係数を乗算して各色の設定値を求める手段とを備えたことを特徴とする。
【０００６】
請求項２に記載の発明は、赤、緑、青の３色ＬＥＤを備えた携帯端末装置における光量校正方法であって、所定の発光色を得るために必要な各色の標準設定値を標準設定値テーブルに予め記憶させておく過程と、前記ＬＥＤを発光させて所望の白色が得られたときの各色の設定値と前記標準設定値とから補正係数を求めて記憶する過程と、所望の発光色の設定値が指定された場合に、該設定値に対して前記補正係数を乗算して各色の設定値を求める過程とを有することを特徴とする。
【０００７】
請求項３に記載の発明は、赤、緑、青の３色ＬＥＤを備えた携帯端末装置上のおいて動作する光量校正プログラムであって、所定の発光色を得るために必要な各色の標準設定値を標準設定値テーブルに予め記憶させておく処理と、前記ＬＥＤを発光させて所望の白色が得られたときの各色の設定値と前記標準設定値とから補正係数を求めて記憶する処理と、所望の発光色の設定値が指定された場合に、該設定値に対して前記補正係数を乗算して各色の設定値を求める処理とをコンピュータに行わせることを特徴とする。
【発明の効果】
【０００８】
この発明によれば、ＬＥＤの光量のばらつきを解消できるため、製造時における不具合による部品交換を無くすことが可能になるという効果が得られる。また、個体毎の測定値に基づいて、補正係数を求めるようにしたため、ＬＥＤを保護するなどの目的でカバー等が取り付けられた完成品での校正対応が可能となる。また、ばらつきがあるＬＥＤを購入しても校正が可能となるため、結果的に部品コストを下げることができるという効果が得られる。
【発明を実施するための最良の形態】
【０００９】
以下、本発明の一実施形態による携帯端末装置及び周辺装置を図面を参照して説明する。図１は同実施形態の構成を示すブロック図である。この図において、符号１は、携帯端末である。符号１１は、３色ＬＥＤ１５の点滅を制御する制御部である。符号１２は、光量のばらつきを補正する補正係数を記憶するメモリである。符号１３は、各色のＬＥＤに対して出力するパルス幅（デューティ比）を制御することにより各色のＬＥＤが発光する光量を変化させるＰＷＭ回路であり、各色（赤、緑、青）それぞれ独立に制御可能である。符号１４は、各色のＬＥＤを制御するＰＷＭ回路１３に対して設定を与えるレジスタであり、各色独立のレジスタを有している。符号１５は、光量の校正対象となる赤、緑、青の３色のＬＥＤからなる３色ＬＥＤである。符号１６は、分光測定器３が接続されたパソコン２を接続し、通信を行う接続部である。
【００１０】
ここで、図３を参照して、図１に示すメモリ１２のテーブル構造を説明する。図３は、メモリ１２内のテーブル構造を示す図である。メモリ１２は、図３に示すように、標準設定値テーブル（図３（ａ））と、光量テーブル（図３（ｂ））と、補正係数テーブル（図３（ｃ））からなる。標準設定値テーブルとは、同型の携帯端末１に用いられる３色ＬＥＤ１５を使用して、所望の白色に発光することができるときのＲ、Ｇ、Ｂの値が予め記憶されているテーブルである。Ｒ、Ｇ、Ｂの値は、０〜２５５の値であり、この値が大きいほど１周期におけるＯＮとなっている時間が長くなる値である。すなわち、「０」であれば消灯した状態となり、「２５５」であれば点灯したまま（消灯しない）の状態となり、「１２７」であれば点灯と消灯の時間がほぼ同一の状態となる。
【００１１】
また、光量テーブルは、所望の白色に発光した場合に、分光測定器で得られる光量Ｉ１、Ｉ２、Ｉ３の値が予め記憶されているテーブルである。
また、補正係数テーブルは、後述する処理によって求めた補正係数を記憶するテーブルである。補正係数は、（測定値）を（標準値）で除算して求めた値であり、Ｒ、Ｇ、Ｂの３つの補正係数Ｒｈ、Ｇｈ、Ｂｈが記憶される。
【００１２】
次に、図２を参照して、図１に示す装置の動作を説明する。
まず、制御部１１は、予め決められている初期値（例えば、２５５，２５５，２５５）をレジスタ１４へ設定する（ステップＳ１）。これにより、３色ＬＥＤが発光する。このとき、分光測定器３は、発光している３色ＬＥＤの各波長（赤、緑、青のそれぞれに相当する波長）の光量を測定し、パソコン２へ出力する。続いて、パソコン２は、分光測定器３の出力値を接続部１６を介して、制御部１１へ受け渡す（ステップＳ２）。これを受けて、制御部１１は、分光測定器３の出力値が所望の白色の値（光量テーブルに記憶されているＩ１、Ｉ２、Ｉ３）と同じ値になったかを判定する（ステップＳ３）。この判定は、各色の成分毎に所定の範囲（例えば、±５％）を設定しておき、全ての色の成分がこの範囲内（Ｉ１±５％、Ｉ２±５％、Ｉ３±５％）に収まったか否かによって判定する。
【００１３】
この判定の結果、所望の白色になっていない場合、制御部１１は、設定値を変化させる。例えば、レジスタ１４に設定されている３つの設定値のいずれかに対して「１」を減算する。そして、ステップＳ２へ戻り、処理を繰り返す。そして、分光測定器３の出力値が所望の白色と同じ値（予め決められた範囲内の値）になった場合、制御部１１は、現時点でレジスタ１４に設定されている３つの値（ここではＲ０，Ｇ０，Ｂ０とする）を内部に保持する。
【００１４】
次に、制御部１１は、予めメモり１２に記憶されている標準設定値テーブルの白色の各値（Ｒ１，Ｇ１，Ｂ１）を読み出す。そして、制御部１１は、各色の補正係数Ｒｈ、Ｇｈ、Ｂｈを次式によって求め（ステップＳ５）、求めた補正係数Ｒｈ、Ｇｈ、Ｂｈを補正係数テーブルとしてメモリ１２へ記憶する（ステップＳ６）。
Ｒｈ＝Ｒ０（測定値）／Ｒ１（標準値）
Ｇｈ＝Ｇ０／Ｇ１
Ｂｈ＝Ｂ０／Ｂ１
【００１５】
この動作により、各ＬＥＤの個体差による光量のばらつきを補正する補正係数が、メモリ１２へ記憶されたこととなる。この補正係数を、携帯端末１上で動作するアプリケーションから指定されるＲＧＢ値（ＲＧＢそれぞれの設定値で、レジスタ１４にセットすべき値）に対して乗算することにより、ばらつきを補正した光量で３色ＬＥＤ１５を点灯することが可能となる。
【００１６】
なお、メモリ１２内に発光させるべき色毎のＲＧＢ値を色識別情報と関連つけて予め記憶しておき、アプリケーションから色識別情報を受け取った時点で、この色識別情報に関連つけられたＲＧＢ値を読み出し、このＲＧＢのそれぞれの値に対して、補正係数を乗算して得られる値をレジスタ１４にセットするようにしてもよい。
【００１７】
また、図２に示す各処理の機能を実現するためのプログラムをコンピュータ読み取り可能な記録媒体に記録して、この記録媒体に記録されたプログラムをコンピュータシステムに読み込ませ、実行することにより光量校正処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００１８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００１９】
【図１】本発明の一実施形態の構成を示すブロック図である。
【図２】図１に示す装置の動作を示すフローチャートである。
【図３】図１に示すメモリ１２のテーブル構造を示す説明図である。
【符号の説明】
【００２０】
１・・・携帯端末
１１・・・制御部
１２・・・メモリ
１３・・・ＰＷＭ回路
１４・・・レジスタ
１５・・・３色ＬＥＤ
１６・・・接続部
２・・・パソコン
３・・・分光測定器
【図１】
2005129403.tif 000003
【図２】
2005129403.tif 000004
【図３】
2005129403.tif 000005